(57)【要約】  物品（200b）を形成するためのターレットヘッドアセンブリ（300）は少なくとも一つのスムージングローラー（302）を含む。少なくとも一つのスムージングローラー（302）のそれぞれは、それぞれの少なくとも一つのローラー支持部材（304）上に回転可能に搭載される。ターレットヘッドアセンブリ（300）はさらに上側リング部材（306a）および下側リング部材（306b）を含む。上側および下側リング部材（306a，306b）は、その中心に配置されたそれぞれの開口を含む。少なくとも一つのローラー支持部材（304）は上側リング部材（306a）と下側リング部材（306b）との間で延在する。ターレットヘッドアセンブリ（300）はさらにターレットヘッド軸線（310）を画定するターレットヘッドアセンブリ支持部材を含む。ターレットヘッドアセンブリ部材（310）は上側および下側リング部材のそれぞれの開口を通って延在する。
2018527195.tif 000002
【特許請求の範囲】
【請求項１】
物品を形成するためのターレットヘッドアセンブリであって、このターレットヘッドアセンブリは、
少なくとも一つのスムージングローラーであって、この少なくとも一つのスムージングローラーのそれぞれは、それぞれの少なくとも一つのローラー支持部材上に回転可能に搭載される、少なくとも一つのスムージングローラーと、
上側リング部材および下側リング部材であって、前記上側および下側リング部材は、その中心に配置されたそれぞれの開口を含み、前記少なくとも一つのローラー支持部材は前記上側リング部材と前記下側リング部材との間で延在する、上側リング部材および下側リング部材と、
ターレットヘッド軸線を画定するターレットヘッドアセンブリ支持部材であって、このターレットヘッドアセンブリ部材は、前記上側および下側リング部材のそれぞれの前記開口を通って延在する、ターレットヘッドアセンブリ支持部材と
を具備する、ターレットヘッドアセンブリ。
【請求項２】
前記少なくとも一つのスムージングローラーは、前記少なくとも一つのローラー支持部材によって画定されるローラー軸線の周りを自由に回転する、請求項１に記載のターレットヘッド。
【請求項３】
前記上側リング部材と前記下側リング部材との間に延在する少なくとも二つのリング間隔保持部材をさらに備える、請求項１に記載のターレットヘッドアセンブリ部材。
【請求項４】
前記少なくとも一つのローラー支持部材は、前記上側および下側リング部材に取り付けられている、請求項１に記載のターレットヘッドアセンブリ。
【請求項５】
前記ターレットヘッドアセンブリ支持部材は、前記ターレットヘッドアセンブリを成形ターレット上で支持するよう構成されている、請求項１に記載のターレットヘッドアセンブリ。
【請求項６】
前記ターレットヘッドアセンブリは、前記ターレットヘッド軸線の周りを回転するよう構成される、請求項１に記載のターレットヘッドアセンブリ。
【請求項７】
前記少なくとも一つのローラー支持部材によって画定される軸線は、前記ターレットヘッド軸線に対して、ある角度で配置される、請求項１に記載のターレットヘッドアセンブリ。
【請求項８】
前記物品は狭窄ネック部分を含むネック付き物品であり、前記狭窄ネック部分は、略円筒形本体から延びる湾曲部分と、この湾曲部分から延びるテーパー部分と、を含む、請求項１に記載のターレットヘッドアセンブリ。
【請求項９】
前記ターレットヘッドアセンブリ支持部材は、前記ネック付き物品の前記狭窄ネック部分内へと延びるように構成される、請求項８に記載のターレットヘッドアセンブリ。
【請求項１０】
前記少なくとも一つのスムージングローラーは、前記湾曲部分または前記テーパー部分の少なくとも一つの上のウィットネスマークと係合し、それを滑らかにするように構成された成形部分を含む、請求項８に記載のターレットヘッドアセンブリ。
【請求項１１】
前記成形部分は、スムージング部分および羽根状部分を含み、前記スムージング部分は前記ネック付き部分の所望の形状に対して相補的な形状を有し、かつ、前記羽根状部分は、漸進的な特性で、前記ネック付き部分の所望の形状から概ね後退している、請求項１０に記載のターレットヘッドアセンブリ。
【請求項１２】
前記スムージングローラーは、
前記湾曲部分上のウィットネスマークと係合し、それを滑らかにするように構成された第１のスムージング部分と、
前記テーパー部分上のウィットネスマークと係合し、それを滑らかにするように構成された第２のスムージング部分と、
少なくとも一つの羽根状部分と、
前記第１のスムージング部分と前記第２のスムージング部分との間の移行部分と
を含む、請求項１０に記載のターレットヘッドアセンブリ。
【請求項１３】
前記少なくとも一つのローラー支持部材は、前記ターレットヘッドアセンブリ支持部材と概ね平行に配置される、請求項１に記載のターレットヘッドアセンブリ。
【請求項１４】
ネック付き物品を成形するための方法であって、前記方法は、
ターレットヘッドアセンブリによって、その上にウィットネスマークを有するネック付き物品を係合させるステップであって、前記ターレットヘッドアセンブリは、上側リング部材と、下側リング部材と、前記上側リング部材と前記下側リング部材との間に延在する少なくとも一つのローラー支持部材と、を含み、前記少なくとも一つのローラー支持部材のそれぞれは、その上に回転可能に搭載された少なくとも一つのスムージングローラーを有し、前記少なくとも一つのスムージングローラーは、前記ネック付き物品のネック付き部分の形状に対して相補的な形状を有するスムージング部分を有する、ステップと、
前記少なくとも一つのスムージングローラーが、前記それぞれの少なくとも一つのローラー支持部材の周りを自由に回転するように、ターレットヘッド軸線の周りで前記ターレットヘッドアセンブリを回転させるステップと、
前記少なくとも一つのスムージングローラーのスムージング部分を前記ネック付き物品のネック付き部分の少なくとも一部と係合させ、これによって前記ネック付き物品上のウィットネスマークを滑らかにするステップと
を備える方法。
【請求項１５】
その上に前記ウィットネスマークを有する前記ネック付き物品をターレットスターホイールのポケット内に受け入れるステップをさらに備え、前記ターレットスターホイールは、前記ターレットヘッドアセンブリが前記ネック付き物品と係合する間、ターレットスターホイール軸線の周りを連続的に回転する、請求項１４に記載の方法。
【請求項１６】
前記ターレットヘッドアセンブリは、
前記上側リング部材と前記下側リング部材との間に延在する少なくとも二つのリング間隔保持部材と、
前記ターレットヘッド軸線を画定するターレットヘッドアセンブリ支持部材と
をさらに含む、請求項１４に記載の方法。
【請求項１７】
前記ネック付き物品は静止しており、前記方法は、カムフォロワ機構を使用して前記ネック付き物品と係合するように前記ターレットヘッド軸線に沿って前記ターレットヘッドアセンブリを軸方向に前進させるステップをさらに備える、請求項１４に記載の方法。
【請求項１８】
前記ターレットヘッドアセンブリは軸方向に静止しており、カムフォロワ機構を使用して前記ターレットヘッドアセンブリと係合するように前記ターレットヘッド軸線に沿って前記ネック付き物品を軸方向に前進させるステップをさらに備える、請求項１４に記載の方法。
【請求項１９】
前記ターレットヘッドアセンブリが機械ラインに組み込まれる、請求項１４に記載の方法。
【請求項２０】
前記ターレットヘッドアセンブリが連続的に回転する、請求項１４に記載の方法。
【発明の詳細な説明】
【技術分野】
【０００１】
関連出願への相互参照
本出願は、参照によりその全体が本明細書中に組み込まれる、２０１５年９月８日に出願された米国仮特許出願第６２／２１５，４５２号に対する優先権を主張する。
【０００２】
本発明は、容器表面を滑らかにするための装置および方法に関する。具体的には、本発明は、容器に隣接して連続的に回転することによって、例えば容器のネック部分を滑らかにするように構成されたスムージングローラーに関する。
【背景技術】
【０００３】
業界では、さまざまなソフトドリンクおよび／またはビール用の飲料容器が、大量にかつ比較的経済的に実質的に同一の形状で製造されている。競合他社から自身の製品を差別化するのを促進するために独特の形状を有する経済的な容器を用いて製品を販売する要望が飲料製造業者の間で、ますます高まっている。
【０００４】
従来の飲料容器は、典型的には、アルミニウムまたはアルミニウム合金シート、表面処理された鋼、それらの組み合わせなどから製造された、予備成形された、概ね円筒形の金属物品／容器から形成される。プリフォーム物品は、典型的には、所望の形状を実現するために、複数回の拡大または縮小の繰り返しを受ける。プリフォーム物品の開放端への複数回の直径方向の縮小は、例えば、ボトル形状の容器形態などにおいて、容器の狭いネック部分を形成するために実施することができる。容器を形成するために使用される金属に関連する制限のために、直径方向の縮小は漸進的にまたは漸進的「段階」でしか実施することができない。縮小の各段階では、通常、物品のネックに波打つ「ウィットネスマーク」が生じる。このウィットネスマークは最終製品において概して認識可能であり、これによってネック部分が審美的に満足できる滑らかな表面を有することを妨げるので、望ましくない。
【発明の概要】
【発明が解決しようとする課題】
【０００５】
本明細書に開示された実施形態の目的は、ウィットネスマークが実質的に、ほとんど認識できないかあるいはエンドユーザーにとって概ね認識できない滑らかなテーパーを有する審美的に好ましい成形物品を製造することである。実施形態は、形成された物品からウィットネスマークを滑らかにするための新規なシステムおよび方法を提供する。
【課題を解決するための手段】
【０００６】
本明細書に開示される態様によれば、物品を形成するためのターレットヘッドアセンブリは少なくとも一つのスムージングローラーを含み、この少なくとも一つのスムージングローラーのそれぞれは、それぞれの少なくとも一つのローラー支持部材上に回転可能に搭載される。ターレットヘッドアセンブリはさらに上側リング部材および下側リング部材を含み、この上側および下側リング部材は、その中心に配置されたそれぞれの開口を含み、少なくとも一つのローラー支持部材は上側リング部材と下側リング部材との間で延在する。ターレットヘッドアセンブリはさらに、ターレットヘッド軸線を画定するターレットヘッドアセンブリ支持部材を含み、このターレットヘッドアセンブリ部材は上側および下側リング部材のそれぞれの開口を通って延在する。
【０００７】
本明細書に開示されるさらなる態様によれば、ネック付き物品を形成するための方法は、ターレットヘッドアセンブリによって、その上にウィットネスマークを有するネック付き物品を係合させるステップであって、ターレットヘッドアセンブリは、上側リング部材と、下側リング部材と、上側リング部材と下側リング部材との間に延在する少なくとも一つのローラー支持部材とを含み、少なくとも一つのローラー支持部材のそれぞれは、その上に回転可能に搭載された少なくとも一つのスムージングローラーを有し、少なくとも一つのスムージングローラーは、ネック付き物品のネック付き部分の所望の形状に対して相補的な形状を有するスムージング部分を有するステップを含む。当該方法はさらに、少なくとも一つのスムージングローラーが、それぞれの少なくとも一つのローラー支持部材の周りを自由に回転するように、ターレットヘッド軸線の周りでターレットヘッドアセンブリを回転させるステップを含む。当該方法はさらに、少なくとも一つのスムージングローラーのスムージング部分をネック付き物品のネック付き部分の少なくとも一部と係合させ、これによってネック付き物品上のウィットネスマークを滑らかにするステップを含む。
【０００８】
本発明の上記およびその他の可能性は、本発明それ自体と共に、以下の図面、詳細な説明および特許請求の範囲を検討した後に、より完全に理解されるであろう。
【図面の簡単な説明】
【０００９】
【図１】一実施形態による物品を形成するための機械ラインを示す図である。
【図２Ａ】一実施形態によるプリフォーム物品を示す図である。
【図２Ｂ】図２Ａのプリフォーム物品から形成されたネック付き物品を示す図であり、ネック形成作業中の直径縮小の繰り返しから生じる可視ウィットネスマークを含んでいる。
【図２Ｃ】本開示の態様に従った、ウィットネスマークが滑らかにされた後の図２Ｂのネック付き物品を示す図である。
【図３】本開示の態様に従った、スムージングローラーを含むターレットヘッドアセンブリを示す図である。
【図４】図３のターレットヘッドアセンブリの断面図である。
【図５】本開示のさらなる態様に従った、スムージングローラー構造の断面図である。
【図６】本開示のその上さらなる態様に従った、スムージングローラー構造の断面図である。
【図７】本開示のその上またさらなる態様に従った、スムージングローラー構造の断面図である。
【発明を実施するための形態】
【００１０】
本発明はさまざまな変更および代替形態が可能であるが、特定の実施形態が図面に例として示されており、本明細書で詳細に説明される。しかしながら、本発明は開示された特定の形態に限定されることを意図するものではないことを理解されたい。むしろ、本発明は、特許請求の範囲によって規定される本発明の趣旨および範囲内に入る全ての変更、等価物および代替物をカバーする。
【００１１】
本発明は多くの異なる形態で実施可能であるが、本開示は本発明の原理の例示とみなされるべきでありかつ本発明の広範な態様を図示の実施形態に限定することを意図しないという理解の下に、本発明の好ましい実施形態が図面に示されかつ詳細に説明される。以下の詳細な説明の目的に関して、（特に断らない限り）単数形は複数形を含み、逆もまた同様である。「および」ならびに「または」との語句は共に接合的でありかつ離接的でなければならない。「全て」との語句は「いずれかおよび全て」を意味する。「いずれか」という語句は「いずれかおよび全て」を意味する。「含む」という語句は「制限なしに含む」を意味する。さらに、単数の語句「一つ」、「ある」および「その」は、文脈が明らかにそうでないことを示さない限り、複数の指示対象を含む。
【００１２】
既存の容器拡大および縮小プロセスおよび装置は多くの重大な制限を受ける。特に、例えば、容器を直径方向に拡大または縮小するために使用されるプロセスおよびツールは、バンプ、波、ウィットネスマーク（witness mark）などを含み得る不均一な表面をもたらす可能性がある。このような不均一な表面は、例えば滑らかな表面のように審美的に満足できるものではないため望ましくない。
【００１３】
本開示の態様によれば、物品（例えば容器）の直径方向の拡大および縮小プロセスを改善するための装置および方法が記載される。本明細書に記載された実施形態は直径方向縮小プロセスに関して説明されているが、スムージングローラーおよびそれを使用する方法はまた、物品の拡大プロセスまたは不均一な（例えば滑らかではない）容器表面を生じる、何らかのその他のプロセスに関連して適用可能であると考えられる。
【００１４】
本明細書に記載される物品は、缶、適切な食品または飲料容器、ビン、ボトルまたはその他の適切な物品であってもよい。物品は、閉鎖端部と反対側の開放端部と、開放端部および閉鎖端部を橋渡しする側壁とを有する。代替的に、物品は、両端部において開放されていてもよい。拡大または縮小プロセスの後、物品に、上面材、蓋またはその他の閉鎖材を付加することができる。
【００１５】
単に例示のために、以下の説明では、容器に関して使用するために縮小装置および方法について説明する。本明細書で説明される方法および装置は、適切な物品と共に使用できることが認識されるであろう。
【００１６】
ここで図１を参照すると、物品を成形するための例示的な機械ライン１０２が示されている。機械ライン１０２は複数のモジュール１０３を含む。各モジュール１０３は、物品を下流に送る前に、受け取った物品１０に対して少なくとも一つの作業ステップを実行するように構成される。モジュール１０３は、概して、物品に加工作業を実施するように構成された一つ以上の成形ターレットを含む。成形ターレットは、概して、複数のポケットを有する少なくとも一つの成形スターホイール（例えば成形ターレット２１）と、それぞれのポケット内の物品に加工作業を実施するように構成された工具とを含む。
【００１７】
モジュール１０３は、概して、その上に複数のポケットを有する少なくとも一つの移送スターホイール（例えば移送スターホイール２０）をさらに含む。ポケットは、上流のスターホイールから物品を受け取り、この物品を下流のスターホイールに輸送するように構成される。任意選択で再循環システムを使用することができる。例示的な再循環システムは、参照によりその全体が本明細書中に組み込まれるＰＣＴ／ＵＳ２０１５／０１８１１９に記載されている。
【００１８】
ここで図２Ａを参照すると、プリフォーム物品２００ａが示されている。プリフォーム物品２００ａは、開放端部２０２を有する略円筒形本体２０１ａを含む。プリフォーム物品２００ａが下流に移送されると、開放端部２０２に対して加工作業が実施される。
【００１９】
図２Ｂは、略円筒形本体２０１ｂから延びる狭窄ネック部分２０４を含むネック付き物品２００ｂを示している。図示された実施形態によれば、ネック部分２０４は、湾曲部分２０４ａおよびテーパー部分２０４ｂを有する。ネッキング処理の間、プリフォーム物品２００ａ（図２Ａ参照）の開放端部２０２は、段階的に直径方向に縮小されてネック部分２０４を形成する。ネッキング処理は、ネック付き物品２００ｂの誤成形または破損を防止するのを助けるために段階的に実施される。ネッキング処理の各段階中の工具とネック部分２０４との係合は、各直径方向縮小に関して、少なくとも一つの可視ウィットネスマーク２０６を生じる。したがって、湾曲部分２０４ａおよびテーパー部分２０４ｂのそれぞれは複数のウィットネスマーク２０６を含むことがある。
【００２０】
ここで図２Ｃを参照すると、滑らかなネック付き物品２００ｃが示されている。滑らかなネック付き物品２００ｃは、図２Ｂのネック付き物品２００ｂのウィットネスマーク２０６を滑らかにすることによって製造される。スムージングは、ウィットネスマーク２０６が滑らかなネック付き物品２００ｃに実質的にほとんど認識できないかあるいは概ね認識できないように、ネック付き部分２０８の湾曲部分２０８ａおよび／またはテーパー部分２０８ｂのウィットネスマーク２０６を低減しまたは排除する。
【００２１】
図３は、本開示の態様によるターレットヘッドアセンブリ３００の一例を示している。ターレットヘッドアセンブリ３００は、独立して回転するスムージングローラー３０２と、ローラー支持部材３０４（図４参照）と、上側リング部材３０６ａと、下側リング部材３０６ｂと、リング間隔保持部材３０８と、ターレットヘッドアセンブリ支持部材３１０とを含む。スムージングローラー３０２のそれぞれは、それぞれのローラー支持部材３０４に回転可能に取り付けられている。スムージングローラー３０２は、ローラー支持部材３０４によって画定されたローラー軸線の周りを自由に回転する。ターレットヘッドアセンブリ３００は、適切な数のスムージングローラー３０２を含むことができる。一実施形態では、ターレットヘッドアセンブリ３００は三つのスムージングローラー３０２を含む。別の実施形態では、ターレットヘッドアセンブリ３００は五つのスムージングローラー３０２を含む。
【００２２】
図４は、図３のターレットヘッドアセンブリの断面図を示している。上側リング部材３０６ａおよび下側リング部材３０６ｂは、それを通ってターレットヘッドアセンブリ支持部材３１０が延在する、その中心に配置されたそれぞれの孔３０７を含む。図４に示すように、ローラー支持部材３０４は、上側リング部材３０６ａと下側リング部材３０６ｂとの間に延びている。ローラー支持部材３０４は、適切な方法を使用してリング部材３０６ａ，３０６ｂ上に取り付けることができる。例えば、ローラー支持部材３０４の各端部は、上側および下側リング部材３０６ａ，３０６ｂのリセスに収容されるように構成されてもよい。これに加えて、またはこれに代えて、ファスナー３０５を使用して、ローラー支持部材３０４を上側リング部材３０６ａおよび下側リング部材３０６ｂに固定することができる。ファスナー３０５は、上側および下側リング部材３０６ａ，３０６ｂの孔を通って延在し、ローラー支持部材３０４のそれぞれの端部に係合することができる。これに加えて、または代替的に、ローラー支持部材３０４の端部ならびに上側リング部材および下側リング部材３０６ａ，３０６ｂのそれぞれのリセスは、ローラー支持部材３０４が上側および下側リング部材３０６ａ，３０６ｂに螺合するようにネジが切られてもよい。
【００２３】
リング間隔保持部材３０８は、上側リング部材３０６ａと下側リング部材３０６ｂとの間に延びる。リング間隔保持部材３０８は、上側リング部材３０６ａを下側リング部材３０６ｂから所定の距離だけ離して配置しかつ維持するように構成される。リング間隔保持部材３０８は、例えば、ローラー支持部材３０４に関して上述したようなさまざまな方法を使用して、上側および下側リング部材３０６ａ，３０６ｂに取り付けられてもよい。
【００２４】
ターレットヘッドアセンブリ支持部材３１０は、ターレットヘッドアセンブリ３００を成形ターレット（例えば図１の成形ターレット２１）上で支持するように構成される。ターレットヘッドアセンブリ３００は、ターレットヘッドアセンブリ支持部材３１０によって画定されるターレットヘッド軸線を中心として回転するように構成される。いくつかの実施形態では、ターレットヘッドアセンブリ３００は、約２００ＲＰＭを超える速度で回転する。いくつかの実施形態では、ターレットヘッドアセンブリ３００は、ターレットヘッドアセンブリ３００がターレットヘッドアセンブリ支持部材３１０の回転から独立してターレットヘッド軸線の周りを回転するように、ターレットヘッドアセンブリ支持部材３１０に回転可能に取り付けられる。いくつかの実施形態では、ターレットヘッドアセンブリ３００は、ターレットヘッドアセンブリ支持部材３１０の回転に伴ってターレットヘッドアセンブリ３００がターレットヘッド軸線の周りを回転するように、ターレットヘッドアセンブリ支持部材３１０に回転不可能に取り付けられる。
【００２５】
図示の実施形態に示すように、ローラー支持部材３０４の軸線は、ターレットヘッドアセンブリ支持部材３１０およびターレットヘッド軸線に対して、ある角度で配置することができる。図３および図４に示されるもののようなローラー支持部材３０４の非平行な角度は、有利なことには、スムージングローラー３０２によって必要とされるクリアランスを減少させることによって、ターレットヘッドアセンブリ３００の全体直径を減少させるために使用されてもよい。
【００２６】
任意選択的に、ターレットヘッドアセンブリ３００は、保護カバーならびに上側および下側リング部材３０６ａ，３０６ｂが内部にスムージングローラー３０２を有するキャビティを形成するように、概ね上側リング部材３０６ａおよび下側リング部材３０６ｂの周囲に配置されると共にそれらの間に延在する取り外し可能な保護カバー（図示せず）をさらに含んでいてもよい。有利なことに、保護カバーは、概して、デブリまたはその他の障害物がターレットヘッドアセンブリ３００に入るのを防止することによって、機械の安全性を高め、かつ／またはそのメンテナンスを減少させることができる。
【００２７】
図４に示すように、ターレットヘッドアセンブリ支持部材３１０は、ネック付き物品２００ｂのネック部分２０４内に延びるように構成される。有利なことに、ターレットヘッドアセンブリ３００は、トリミング、フランジ加工、カーリング、ネジ切りなどの、ネック付き物品２００ｂへの作業を同時に実施するために工具を含むことができる。いくつかの実施形態では、工具は、ターレットヘッドアセンブリ支持部材３１０に取り付けられる。いくつかの実施形態では、工具は、ターレットヘッドアセンブリ支持部材３０８と一体的に形成される。
【００２８】
図示された実施形態では、リング間隔保持部材３０８は、上側および下側リング部材３０６ａ，３０６ｂのそれぞれのリセス内にに受け入れられる。リング間隔保持部材３０８の端部と上側および下側リング部材３０６ａ，３０６ｂとの係合により、上側および下側リング部材３０６ａ，３０６ｂ間の間隔が決定される。リング支持部材３０８は、ファスナー３１２を使用して上側および下側リング部材３０６ａ，３０６ｂに固定される。ファスナー３１２は、上側および下側リング部材３０６ａ，３０６ｂ内の通路を通って延び、リング間隔保持部材のネジ孔と係合する
【００２９】
スムージングローラー３０２はローラー支持部材３０４に回転可能に取り付けられる。ボールベアリング、テーパーベアリング、ボールベアリング、ブシュなどの適切な回転可能なマウントを使用することができる。図示の例では、スムージングローラー３０２は、ローラー支持部材３０４のシャフト３１５に沿って配置されたベアリング３１４を用いて、ローラー支持部材３０４に回転可能に取り付けられる。
【００３０】
ローラー支持部材３０４は、このローラー支持部材３０４の上側端部に拡大部分３１６を含む。拡大部分３１６は、上側ベアリング３１４と係合して、ベアリング３１４の上方移動を阻止するように構成される。拡大部分３１６は、上側リング部材３０６ａのそれぞれのリセス内に受け入れられる。
【００３１】
取り外し可能なカラー３１８が、拡大部分３１６に対向して、ローラー支持部材３０４のシャフト３１５の周りに配置される。カラー３１８は、ベアリング３１４の下方への移動を阻止するために、下側ベアリング３１４と係合するように構成される。カラー３１８は、下側リング部材３０６ｂのそれぞれのリセス内に収容される。拡大部分３１６を第２のカラー３１８と置き換えることが可能であると考えられる。
【００３２】
ファスナー３０５は、ローラー支持部材３０４を下側リング部材３０６ｂに固定する。ファスナー３０５は、ローラー支持部材３０４内の通路を通って延びる。
【００３３】
スムージングローラー３０２は、孔３２０と、成形部分３２２とを含む。孔３２０は、その中にベアリング３１４を受け入れるように構成されたスムージングローラー３０２の各端部に配置された開口３２４を含む。開口３２４は、ベアリング３１４と係合して、ベアリング３１４の内向きの移動を阻止する（すなわち上側ベアリング３１４が下方に移動するのを阻止すると共に下側ベアリング３１４が上方に移動するのを阻止する）ように構成される。
【００３４】
スムージングローラー３０２の成形部分３２２は、湾曲部分２０４ａまたはテーパー部分２０４ｂ（図２Ｂ参照）のような物品のネック部分２０４の少なくとも一部と係合するように構成されている。図３および図４の実施形態では、成形部分３２２は、湾曲部分２０４ａおよびその上の滑らかなウィットネスマーク３０６のみと係合するように構成される。成形部分３２２は、スムージング部分３２２ａと、羽根状（feathrered）部分３２２ｂとを有する。スムージング部分３２２ａは、滑らかにされるネック部分２０４の所望の形状に対して相補的な形状を有する。例えば、例示された実施形態のスムージング部分３２２ａは、スムージング部分３２２ａと物品の湾曲部分２０４ａとの係合が、ウィットネスマーク２０６の隆起した「山」からウィットネスマーク間の「谷」へ物質を移動させるように湾曲させられる。これにより、スムージングローラー３０２のスムージング部分３２２ａに沿って、物品の概ね滑らかな表面が得られる。羽根状部分３２２ｂは、スムージングローラー３０２による付加的なウィットネスマークの形成を抑制するように構成される。羽根状部分３２２ｂは、変位させられた材料が被係合部分に隣接する物品の形状へと円滑に組み込まれるように、漸進的な特性で、物品の所望の形状から概ね後退している。
【００３５】
ここで、本開示の態様によるターレットヘッドアセンブリ３００を用いた滑らかなネック付き物品２００ｃの成形について、例示的な作業サイクルを用いて説明する。ターレットヘッドアセンブリ３００は機械ライン１００内の機械の一つに組み込まれる。ウィットネスマーク２０６をその上に有するネック付き物品２００ｂはターレットスターホイールのポケットによって受け入れられる。ターレットスターホイールがターレットスターホイール軸線の周りを連続的に回転する間に、ターレットヘッドアセンブリ３００はネック付き物品２００ｂと係合して、滑らかなネック付き物品２００ｃを形成する。いくつかの実施形態では、ネック付き物品２００ｂは静止しており、ターレットヘッドアセンブリ３００が、例えばカムフォロア装置を使用してネック付き物品２００ｂと係合するようにターレットヘッド軸線に沿って軸方向に前進させられる。いくつかの実施形態では、ターレットヘッドアセンブリ３００は軸方向に固定され、ネック付き物品２００ｂが、例えばカムフォロア装置を使用してターレットヘッドアセンブリ３００と係合するようにターレットヘッド軸線に沿って軸方向に前進させられる。いくつかの実施形態では、ネック付き物品２００ｂおよびターレットヘッドアセンブリ３００の両方が、ネック付き物品２００ｂをスムージングローラー３０２と係合させるために、ターレットヘッド軸線に沿って軸方向に前進させられる。
【００３６】
係合中、ターレットヘッドアセンブリ３００は、ターレットヘッド軸線を中心に回転する。ターレットヘッドアセンブリ３００のこの回転運動により、スムージングローラー３０２は、そのそれぞれのローラー支持部材３０４の周りを自由に回転する。ターレットヘッドアセンブリ３００の回転中、スムージングローラー３０２のスムージング部分３２２ａは、ウィットネスマーク２０６の山から離れるように材料を移動させることによって、ネック付き物品を滑らかにするようにウィットネスマーク２０６と係合する。いくつかの実施形態では、ターレットヘッドアセンブリ３００は、独立したモータによってターレットヘッド軸線の周りを回転させられる。いくつかの実施形態では、ターレットヘッドアセンブリ３００は、形成ターレットの回転がその上に取り付けられたターレットヘッドアセンブリ３００を回転させるように遊星歯車構造となっている。いくつかの実施形態では、ターレットヘッドアセンブリ３００は、ターレットヘッドアセンブリ３００および／またはネック付き物品２００ｂの軸方向の移動中に連続的に回転する。有益なことに、このような連続的な回転は、ウィットネスマーク２０６のより一貫したスムージングにつながるであろう。スムージングローラー３０２とウィットネスマーク２０６とのより漸進的な係合によって、より一貫したスムージングが生じると考えられる。
【００３７】
有益なことに、スムージングローラー３０２と滑らかなネック付き物品２００ｃとの係合は、滑らかなネック付き物品２００ｃへのターレットヘッドアセンブリ３００から離れる力を発生させる。この力は、追加のノックアウトまたは類似の機構の必要性を伴わずに、滑らかなネック付き物品２００ｃのアンローディングを助ける。
【００３８】
ここで図５を参照すると、本開示のさらなる態様によるスムージングローラー形態５００の断面が示されている。図示の実施形態では、ローラー支持部材５０４は、ターレットヘッド軸線５０３と略平行に配置されている。スムージングローラー５０２は、スムージング部分５２２ａと、羽根状部分５２２ｂとを含む。スムージング部分５２２ａは、図３のスムージング部分３２２ａと略同様の形状を有しているが、図５のスムージングローラー５０２の形状は、ローラー支持部材５０４の配向によって異なる。さらに、スムージングローラー形態５００の全体直径は、図３のスムージングローラー形態よりも大きい。なぜなら、ローラー支持部材５０４はターレットヘッド軸線５０３と略平行であるからである。
【００３９】
ここで図６を参照すると、別の実施形態によるスムージングローラー形態６００の断面が示されている。図示の実施形態では、スムージングローラー６０２は、ネック付き物品２００ｂのテーパー部分と係合するように構成される。スムージングローラー６０２は、スムージング部分６２２ａと、羽根状部分６２２ｂとを有する。スムージング部分６２２ａは、ネック部分２０４のテーパー部分２０４ｂ上に配置されたウィットネスマーク２０６と係合し、それを滑らかにするように構成される。羽根状部分６２２ｂは、図３および図４に関して上述した羽根状部分３２２ｂと同様に構成される。
【００４０】
ここで図７を参照すると、さらに別の実施形態によるスムージングローラー形態７００の断面が示されている。図示の実施形態では、スムージングローラー７０２は、ネック付き物品２０４ｂの湾曲部分２０４ａおよびテーパー部分２０４ｂの両方と係合するように構成される。スムージングローラー７０２は、第１のスムージング部分７４０と、第２のスムージング部分７４２と、羽根状部分７４４と、第１のスムージング部分７４０と第２のスムージング部分７４２との間の移行部分７４６とを含む。第１のスムージング部分７４０は、ネック付き物品２００ｂの湾曲部分２０４ａ上のウィットネスマーク２０６と係合し、それを滑らかにするよう構成される。第２のスムージング部分７４２は、ネック付き物品２００ｂのテーパー部分２０４ｂ上のウィットネスマーク２０６と係合し、それを滑らかにするよう構成される。羽根状部分７４４は、図３および図４に関して上述した羽根状部分３２２ａと同様に構成される。
【００４１】
移行部分７４６は、湾曲およびテーパー部分２０４ａ，２０４ｂ上のウィットネスマーク２０６の山から離れるような材料の移動を可能にするように構成される。いくつかの実施形態では、移行部分７４６はネック付き物品２００ｂと係合しない。その代わりに、移行部分７４６は、変位させられる材料が集まる領域を提供するために、ネック付き物品２００ｂの所望の形状から離れて配置される。有益なことに、ネック付き物品２００ｂに係合させないことによって、移行部分７４６は、概して、湾曲部分２０４ａとテーパー部分２０４ｂとの間のネック部分２０４上に付加的なウィットネスマーク２０６を生成しない。
【００４２】
有益なことに、本明細書で開示されるターレットヘッドアセンブリは、既存の機械ライン１００内の既存のモジュールに追加することができる。有益なことに、スムージングローラーの自由回転は、ターレットヘッドアセンブリの長寿命化に、そして工具または非回転部材と比較して、さらなる異常の発生を発生させる可能性の低減に寄与する。
【００４３】
成形された物品のネック付き部分２０４のスムージングは円柱強度の増加に寄与し得ると考えられる。
【００４４】
本発明を一つ以上の特定の実施形態を参照して説明したが、当業者であれば、本発明の趣旨および範囲から逸脱することなく、それに対して数多くの変更を施し得ることを認識するであろう。これらの実施形態およびそれらの明らかな変形形態のそれぞれは本発明の趣旨および範囲内に含まれるものと考えられる。本発明の態様による追加の実施形態では、本明細書に記載された実施形態のいずれかからの任意の数の特徴を組み合わせることが可能であると考えられる。
【符号の説明】
【００４５】
１０  物品
２０  移送スターホイール
２１  成形ターレット
１００  機械ライン
１０２  機械ライン
１０３  モジュール
２００ａ  プリフォーム物品
２００ｂ  物品
２００ｃ  物品
２０１ａ  略円筒形本体
２０１ｂ  略円筒形本体
２０２  開放端部
２０４  狭窄ネック部分
２０４ａ  湾曲部分
２０４ｂ  テーパー部分
２０６  ウィットネスマーク
２０８  ネック付き部分
２０８ａ  湾曲部分
２０８ｂ  テーパー部分
３００  ターレットヘッドアセンブリ
３０２  スムージングローラー
３０４  ローラー支持部材
３０５  ファスナー
３０６  ウィットネスマーク
３０６ａ  上側リング部材
３０６ｂ  下側リング部材
３０７  孔
３０８  リング間隔保持部材
３１０  ターレットヘッドアセンブリ支持部材
３１２  ファスナー
３１４  ベアリング
３１５  シャフト
３１６  拡大部分
３１８  第２のカラー
３２０  孔
３２２  成形部分
３２２ａ  スムージング部分
３２２ｂ  羽根状部分
３２４  開口
５０２  スムージングローラー
５０３  ターレットヘッド軸線
５０４  ローラー支持部材
５２２ａ  スムージング部分
５２２ｂ  羽根状部分
６０２  スムージングローラー
６２２ａ  スムージング部分
６２２ｂ  羽根状部分
７０２  スムージングローラー
７４０  第１のスムージング部分
７４２  第２のスムージング部分
７４４  羽根状部分
７４６  移行部分
【図１】
2018527195.tif 000003
【図２Ａ】
2018527195.tif 000004
【図２Ｂ】
2018527195.tif 000005
【図２Ｃ】
2018527195.tif 000006
【図３】
2018527195.tif 000007
【図４】
2018527195.tif 000008
【図５】
2018527195.tif 000009
【図６】
2018527195.tif 000010
【図７】
2018527195.tif 000011
【国際調査報告】
2018527195.tif 000012
2018527195.tif 000013